(57)【要約】【課題】安定して負イオンの発生を行う。【解決手段】空気調和機の吹出口近傍に備えたイオン発生部から室内に向けて負イオンを放出するものに於いて、前記空気調和機の樹脂製筐体内方に備えたイオン発生部は前記筐体または筐体に取り付けた樹脂製蓋体１７に多数のスリット状長穴又は円形小穴から成る穴部１９を設けると共に、この穴部１９に対向して負イオン発生用の放射電極２０を位置させ、少なくとも前記穴部１９周囲の筐体または蓋体１７を帯電防止性樹脂又は導電性樹脂にて形成し、前記穴部１９周囲の筐体または蓋体１７をアースするようにした。【選択図】　　　図４
2004020025.tif 000002
【特許請求の範囲】
【請求項１】
空気調和機の吹出口近傍に備えたイオン発生部から室内に向けて負イオンを放出するものに於いて、前記空気調和機の樹脂製筐体内方に備えたイオン発生部は前記筐体または筐体に取り付けた樹脂製蓋体に多数のスリット状長穴又は円形小穴から成る穴部を設けると共に、この穴部に対向して負イオン発生用の放射電極を位置させ、少なくとも前記穴部周囲の筐体または蓋体を帯電防止性樹脂又は導電性樹脂にて形成し、前記穴部周囲の筐体または蓋体をアースすることを特徴とする空気調和機。
【発明の詳細な説明】
【０００１】
【発明の属する技術分野】
この発明は負イオンを発生するイオン発生装置を空気調和機に組み込んだ事に関する。
【０００２】
【従来の技術】
従来より負イオンが人体に対して良い効果をもたらすことは知られており、生理作用の改善や医学療法等に利用されるものである。
また従来例として本出願人が先に出願した特開平１１−７２２４０号で示すように、空気調和機の筐体表面に備えた穴部の内側にイオン発用の針状放射電極を備え、この穴部から負イオンを室内に放出する空気調和機があり、また前記筐体が帯電して負イオンの発生量が減少する事を防止するために、筐体をアースするものであった。
【０００３】
【発明が解決しようとする課題】
しかしながら、この従来例は筐体は通常の樹脂材料にて成形されており、放射電極とアースがかなり離れていたために、穴部周囲の電荷をスムーズにアースに流す事ができず、穴部の帯電状態によって室内に放出する負イオンの量にそれぞれの器具によってばらつきが発生する問題があった。
【０００４】
【課題を解決するための手段】
この発明はこの点に着目し上記欠点を解決する為、特にその構成を、空気調和機の吹出口近傍に備えたイオン発生部から室内に向けて負イオンを放出するものに於いて、前記空気調和機の樹脂製筐体内方に備えたイオン発生部は前記筐体または筐体に取り付けた樹脂製蓋体に多数のスリット状長穴又は円形小穴から成る穴部を設けると共に、この穴部に対向して負イオン発生用の放射電極を位置させ、少なくとも前記穴部周囲の筐体または蓋体を帯電防止性樹脂又は導電性樹脂にて形成し、前記穴部周囲の筐体または蓋体をアースするものである。
【０００５】
これによって樹脂製の筐体又は蓋体の穴部周囲に発生する電荷をスムーズにバネ状の導通片からなるアースに導くことで放射電極から室内に充分な負イオンを安定的に発生することができるものである。
また蓋によって取付も簡単で感電や指先のケガを防止するものである。
【０００６】
【発明の実施の形態】
以下この発明の一実施例を図面をもとに説明すれば、１はセパレート式空気調和機の室内機で、本体ケーシング２と前方の前面カバー３によって筐体を形成し、前記前面カバー３の中央から上部には横長スリット状の吸込口４を有するオープンパネル５を備えこのパネル５上部左右に設けた軸（図示せず）を支点として前面カバー３前方へ開閉自在に取付られ、前記吸込口４下方から前面カバー３底面には横長の吹出口６を設け、また前面カバー３上面には前記吸込口４で不足する開口面積を補うために上部吸込口７を設けている。
【０００７】
前記吸込口４・７の内側には横長で上下方向には多段に屈曲されたフィンチューブ式の熱交換器８を設け、この熱交換器８の後部には送風用のクロスフローファン９を配置している。
前記熱交換器８の下方には樹脂の発泡材で一体成形されたドレーンユニット１０を設け、結露水を受けると共にファン９の送風を吹出口６へ導くエアーガイドの機能を兼ねるものである。
【０００８】
１１は静電式の空気清浄ユニットで約＋２ｋｖの直流電源に接続されアルミ板に多数の穴１２ａを設けた放電対極１２と、この穴１２ａの略中心に向かって針先を位置させた針状電極１３ａで形成され約−２ｋｖの直流電源に接続された放電極１３とで構成し、空気中の目に見えない塵やタバコの煙を前記放電極１３で帯電し放電対極１２にて捕捉するものであり、前記熱交換器８と前面パネル３の間の上部空間に取り付けられるものである。
【０００９】
また前記吸込口４と熱交換器８、又は吸込口４と空気清浄ユニット１１の間には樹脂製で網目状のプレフィルタ１４を備え、空気中の比較的大きなホコリを捕捉する。
前記吹出口６の右側には空気調和機の運転状態をランプ等で表示する表示部１５を設け、この表示部１５の更に右側にはイオン発生部１６を設けている。
前記表示部１５は前面パネル３の蓋体１７に設けた表示穴１８をこの蓋体１７の背面に対向して位置するランプ等によって運転停止等の表示を行うものであり、前記蓋体１７及び前面カバー３はＡＢＳ等の樹脂により形成される。
【００１０】
前記イオン発生部１６は蓋体１７に設けた穴部１９の背面に対向してイオン発生用の放射電極２０を位置させこの穴部１９より負イオンを放出するものであり、放出したイオンは吹出口６からの送風に乗って室内に拡散するものである。
前記放射電極２０は針状で−８ｋｖ程の電位がかけられ負イオンを発生するもので、針先は鋭利で有るため誤って指先で触った場合は感電と共に指先に刺さりケガをする危険も有るが、前面の穴部１９は一個一個が指先の入らない大きさに設けられているため、放射電極２０に指先が接触するようなことはないものである。
【００１１】
尚前記穴部１９は指先が入らなければ良く、スリット状の長穴をたくさん設けたり、或いは円形の多数の小穴等その穴形状にはこだわらないものである。
前記放射電極２０はイオン発生用の高圧ユニット２２から穴部１９に向かって３本設けられている。
【００１２】
２３は前記穴部１９の近傍で蓋体１７の背面に接触する導通片で、該蓋体１７の内側をアースするために本体ケーシング２やプリント基板等の電気部品を収納する電装ボックス２４に固定され蓋体１７が前記前面カバー３に取り付けられた際に、そのバネ性で簡単に取り付けられると共に取り付け後には蓋体１７内面に押しつけられるので確実に接触できるものである。
【００１３】
また前記導通片２３の他端はオス形の端子形状でリード線等により前記電装ボックス２４内のアース端子（図示せず）や熱交換器８等に接続して、導通片２３の電位を０Ｖにするものである。
【００１４】
図７はＡＢＳ樹脂への帯電防止剤の添加量の変化によって、成形された樹脂部品の表面固有抵抗値の変化の一例を示すグラフであり、ここで示した添加剤はＡＢＳ樹脂に約１５％添加することで、表面固有抵抗値が約１００ギガオーム以下に低下して、帯電防止の性質を示すものである。
【００１５】
前記蓋体１７及び前面カバー３は通常の樹脂材料に帯電防止剤や導電性の薬剤を添加して成形された帯電防止性または導電性の樹脂であり、通常の樹脂材料で成形されたものが約１０，０００テラオームであるものに対して、１から１００，０００メガオームの導電性を呈する事で、前記穴部１９周囲の電荷をスムーズにバネ状の導通片２３からなるアースに導くことで放射電極２０から室内に充分な負イオンを安定的に発生することができるものである。
【００１６】
また前記蓋体１７を通常の樹脂材料で成型した場合には、運転時間の経過と共に蓋体１７全体が負の電荷を帯びて放射電極２０との相対的な電位差が小さくなり負イオンが発生しにくくなるものである。
【００１７】
図６をもとに制御回路のブロック図を説明すれば、２５は空気調和機の運転、停止や前記イオン発生部１６の制御を行うマイクロコンピュータ等の制御装置で、ワイヤレスリモコン（図示せず）等に設けた操作部２６やイオンセンサ２７、温度センサ２８、湿度センサ２９等が入力側に接続され、出力側は前記表示部１５やファンモータ３０や室外機の制御装置３１や前記イオン発生部１６の高圧発生回路３２へ通じる電源をＯＮ−ＯＦＦするリレー３３や空気清浄装置３４の高圧ユニット３５へ通じる電源をＯＮ−ＯＦＦするリレー３６に接続されている。
【００１８】
前記表示部１５は運転停止ランプ３７やタイマランプ３８の他に多数のダイオードが棒グラフ状に配置されたイオンランプ３９を備え前記イオンセンサ２７にて測定された現在イオン量の大小を使用者にわかりやすく表示するものである。前記イオンランプ３９はこの実施例では横長にダイオードが５個直線状に配置されたもので、ダイオード１個の点灯で前記イオンセンサ２７周辺に於いて約２０００個／ｃｃのイオンの存在を示すもので、左側より５個連続して点灯した場合には約１００００個／ｃｃのイオンの存在を示すものである。
【００１９】
前記イオン発生部１６は交流１００ｖ５０Ｈｚ又は６０Ｈｚの商用電源を直流約８ｋｖに昇圧する前記高圧発生回路３１に先尖状のアルミ板や針からなる前記放射電極２０をこの放射電極２０が約−８ｋｖの電位になるように接続し、高圧発生回路３２と電源の間に設けた前記リレー３３によって制御装置２５にてイオン発生部１６の作動を制御するものであり、前記放射電極２０は蓋体１７によって保護され穴部１９から負イオンが室内に放出されるものであるが、イオン発生部１６運転の初期は良いのだが、穴部１９は感電及びケガの防止のために約３ｍｍ程の隙間しかないために、通常樹脂材料で蓋体１７を成形した場合は、アースであるバネ状の導通片２３へスムーズにマイナスの電荷を流すことができなくなり、時間が経過すると蓋体１７全体がマイナスの電荷を帯びて放射電極２０との相対的な電位差が小さくなり負イオンが発生しにくくなる事を防止するために、穴部１９の近傍の蓋体１７を帯電防止樹脂又は導電性樹脂で成形し、蓋体１７の内面にバネ状の導通片２３設ける事によって、マイナスの電荷をスムーズにアースに落とすことで、安定して負イオンを発生すると同時に、感電や指先のケガを防止するものである。
【００２０】
また前記空気清浄装置３４は交流１００ｖの電源を高圧ユニット３５にて約＋２ｋｖと約−２ｋｖの直流に変換して前記空気清浄ユニット１１に供給するもので、前記高圧ユニット３５と電源の間に設けた前記リレー３６によって制御装置２５にて運転、停止するものである。
【００２１】
【発明の効果】
以上のようにこの発明によれば、穴部周囲の電荷をスムーズにバネ状の導通片からなるアースに導くことで放射電極から室内に充分な負イオンを安定的に発生することができ、それぞれの器具によるばらつきも無くなるものである。
【図面の簡単な説明】
【図１】この発明の一実施例の斜面図。
【図２】同概略断面図。
【図３】同空気清浄ユニットの概略断面図。
【図４】同要部の断面図。
【図５】同要部の正面図。
【図６】同制御回路のブロック図。
【図７】同帯電防止剤の添加量と表面固有抵抗値の関係を示すグラフ。
【符号の説明】
４　吸込口
６　吹出口
９　ファン
１５　表示部
１６　イオン発生部
１９　穴部
２０　放射電極
２３　導通片
【図１】
2004020025.tif 000003
【図２】
2004020025.tif 000004
【図３】
2004020025.tif 000005
【図４】
2004020025.tif 000006
【図５】
2004020025.tif 000007
【図６】
2004020025.tif 000008
【図７】
2004020025.tif 000009